(57)【要約】【課題】  安全確実でしかも安価にダイオキシン類の有害物質を含む洗浄排水の回収ができる廃棄物焼却施設の洗浄工法を提供する。【解決手段】  廃棄物焼却施設１の装置２，３や建屋を洗浄するに際し、廃棄物焼却施設１の床面の周囲をコンクリートブロックを積み上げた防水堤６で囲み、この防水堤６を含む床面全体を防水膜８で防水処理するとともに、廃棄物焼却施設１全体を防炎シート１０及び養生シート１２で包囲して密閉化させて、廃棄物焼却施設の洗浄を行い、洗浄排水を床面で集水して、ドラム缶等に詰めて搬出する。【選択図】  図１
2006167636.tif 000002
【特許請求の範囲】
【請求項１】
廃棄物焼却施設の装置や建屋を洗浄するに際し、前記廃棄物焼却施設の床面の周囲を防水堤で囲み、該防水堤を含む前記床面全体を防水処理するとともに、前記廃棄物焼却施設全体をシートで包囲して密閉化させることを特徴とする廃棄物焼却施設の洗浄工法。
【請求項２】
前記防水堤は、コンクリートブロックを積み上げて構築することを特徴とする請求項１に記載の廃棄物焼却施設の洗浄工法。
【請求項３】
前記装置や建屋の洗浄により発生する洗浄排水を、前記床面で集水し、前記密閉化された空間内でドラム缶等に詰めて外部へ搬出することを特徴とする請求項１又は請求項２に記載の廃棄物焼却施設の洗浄工法。
【発明の詳細な説明】
【技術分野】
【０００１】
本発明は、廃棄物焼却施設を安全確実で安価に洗浄することのできる洗浄工法に関するものである。
【背景技術】
【０００２】
廃棄物焼却施設内の装置や建屋には、ダイオキシン類の有害物質を含む付着物が付着しており、廃棄物焼却施設の装置を分解して洗浄設備のある場所へ搬送して洗浄する場合には、装置を分解する際にダイオキシン類が空中に発散して、大気が汚染されることとなるため、現場で高圧ジェット水により設備表面の付着物を除去することが行われているが、従来では、現場にプール等を持ち込んで、装置や建屋を洗浄することにより発生する洗浄排水を溜める等しており、また、特許文献１に開示されているような装置を持ち込んで洗浄排水の処理を行っている。
【特許文献１】特開２００３−１９０９６６号公報
【発明の開示】
【発明が解決しようとする課題】
【０００３】
従来では、プール等や特許文献１に開示されているような設備を現場に持ち込む必要があり、コストが大となり、また洗浄排水を吸い込むバキュームホース内等には、有害なダイオキシン類を含む排水が残留することとなり、洗浄排水を安全確実で安価に処理することが困難なものであった。
【課題を解決するための手段】
【０００４】
本発明は上記従来の問題点に鑑み案出したものであって、安全確実でしかも安価にダイオキシン類の有害物質を含む洗浄排水の回収ができる廃棄物焼却施設の洗浄工法を提供するものであり、その請求項１は、廃棄物焼却施設の装置や建屋を洗浄するに際し、前記廃棄物焼却施設の床面の周囲を防水堤で囲み、該防水堤を含む前記床面全体を防水処理するとともに、前記廃棄物焼却施設全体をシートで包囲して密閉化させることである。
【０００５】
また請求項２は、前記防水堤は、コンクリートブロックを積み上げて構築することである。
【０００６】
また請求項３は、前記装置や建屋の洗浄により発生する洗浄排水を、前記床面で集水し、前記密閉化された空間内でドラム缶等に詰めて外部へ搬出することである。
【発明の効果】
【０００７】
本発明の廃棄物焼却施設の洗浄工法は、廃棄物焼却施設の装置や建屋を洗浄するに際し、廃棄物焼却施設の床面の周囲を防水堤で囲み、防水堤を含む床面全体を防水処理するとともに、廃棄物焼却施設全体をシートで包囲して密閉化させることとしたため、現場の床面を防水堤で囲んで汚染された洗浄排水が外部に流出するのを確実に防ぐことができ、また防水処理により地下に洗浄排水が染み込むことも良好に防ぐことができ、また施設全体をシートで包囲して、焼却灰等の粉塵やガス状のダイオキシン類の大気中への発散を確実に防ぐことができ、従来のようなプール等の設備を現場に搬入する必要がなく、安全確実で、しかも安価に廃棄物焼却施設の洗浄を行うことができるものとなる。
【０００８】
また、防水堤は、コンクリートブロックを積み上げて構築することとしたため、適宜コンクリートブロックの積み上げる数を現場に対応させて選択し、コンクリートブロックの高さを適宜調整することができて、現場に対応した良好な高さの防水堤を容易に構築することができるものとなる。
【０００９】
また、装置や建屋の洗浄により発生する洗浄排水を、床面で集水し、密閉化された空間内でドラム缶等に詰めて外部へ搬出することとしたため、プール等の設備を用いることなく、現場の床面で洗浄排水を集水し、密閉空間内でドラム缶等に詰めて、外部の処理場へ搬出できるため、バキュームホース内等に有害な洗浄排水が残ることもなく、確実安全に全ての洗浄排水を処理できるものとなる。
【実施例】
【００１０】
以下、本発明の実施例を図面に基づいて説明する。
図１は、廃棄物焼却施設を洗浄するに際し、廃棄物焼却施設を密閉化した状態の概略構成図である。また図２は、密閉構造の要部を示す拡大構成図である。
図において、廃棄物焼却施設１は、焼却炉２，パイプ３，煙突４等の装置で構成されており、これらの装置は施設の壁１ａの内部に設置されている。
【００１１】
また、廃棄物焼却施設１の床面は、通常はコンクリート土間５で構成されているが、コンクリートの存在しない土が剥き出しの土間である場合もあり、そのような現場においては、先ず、土が剥き出しの床面にコンクリートを敷設してコンクリート土間５を構築させることとなる。
コンクリート土間５には、既に排水用の側溝が形成されていることが多く、側溝が存在する場合には、この側溝を集水溝７として利用する。なお、側溝を集水溝７として利用する場合は、防水モルタルで堰き止めて集水溝７とする。
なお、このような側溝が存在しない場合には、現場の床面に穴を掘って、集水溝７を床面に形成させておく。
【００１２】
このような現場のコンクリート土間５の周囲にコンクリートブロックを積み上げて、例えば２００ｍｍ程度の高さの防水堤６を構築し、この防水堤６で施設の床面外周を囲う。この防水堤６の上面及び内側面から前記コンクリート土間５の上面及び集水溝７の内面全域に、例えば液状のウレタンを塗布してウレタン塗膜を形成させる場合や、各種防水材等により防水膜８を形成させ、この防水膜８により、洗浄排水が地下へ染み込むのを防ぎ、また前記防水堤６により、外部へ汚染水が流出するのを確実に防いでおく。
【００１３】
更に図２に示すように、廃棄物焼却施設１の壁１ａの外側に足場９を設置するとともに、廃棄物焼却施設１の上方に、足場９から天井パイプ１１を配設して、足場９と天井パイプ１１で廃棄物焼却施設を覆うように構成する。
この足場９の外側及び天井パイプ１１の上面には、防炎シート１０を張設し、更に足場９の内側及び天井パイプ１１の内側には、０．１ｍｍ程度の厚さのプラスチックシートからなる養生シート１２を張設して、この養生シート１２と外側の防炎シート１０により、廃棄物焼却施設１の外周を完全に包囲して、内部を密閉化させる。
【００１４】
なお、図１に示すように、作業者の出入りする部分には、セキュリティーゾーン１３を設けて、焼却灰等の粉塵やガス状のダイオキシン類の外部への発散を防ぐように構成する。
このように、床面の外周を防水堤６で囲み、床面を防水膜８で防水処理して、更に防炎シート１０，養生シート１２で廃棄物焼却施設１を完全に包囲した状態で、その包囲された密閉空間内で、高圧洗浄機から高圧ジェット水を噴出させて、高圧ジェット水により廃棄物焼却施設を構成する焼却炉２，パイプ３，煙突４等の内部等に付着しているダイオキシン類の有害物質を含む付着物を除去してゆく。
【００１５】
なお、洗浄作業を行う際には、密閉空間内は仮設された換気装置により換気されて、負圧状態となっているため、焼却灰等の粉塵やガス状のダイオキシン類が外部に発散することもなく、大気が汚染されることもない。
なお、仮設換気装置には、プレフィルター，ＨＥＰＡフィルター，チャコールフィルターの３重構造のフィルターが設けられて、外部へのダイオキシン類の有害物質の発散を確実に防ぐようにしている。
【００１６】
高圧ジェット水による洗浄により、洗浄排水が床面に流れ落ちて集水溝７内に一時的に溜められ、この集水溝７内に溜められた洗浄排水を、床面上に設置した集水用タンク１４内等に入れ、更に密閉空間内で、洗浄排水をそれぞれドラム缶等に詰め込んで密閉し、密閉したドラム缶等を処理場までトラック等で搬出し、処理場で良好に有害な洗浄排水を処理することができるものとなる。
【００１７】
このように本例では、排気物処理施設全体を完全に包囲して、内部を密閉化させた状態で作業を行うため、安全且つ確実にダイオキシン類の有害物質の大気への発散、及びダイオキシン類の有害物質を含む洗浄排水の外部への流出を防ぐことができるものとなる。
また、現場において、コンクリートブロックにより防水堤を構築して、現場の床面で集水する構成であるため、従来のようなプール等の設備を現場に搬入する必要もなく、コストを低減させて廃棄物焼却施設の洗浄を行うことができるものとなる。
【図面の簡単な説明】
【００１８】
【図１】廃棄物焼却施設の床面を防水処理し、また外周をシートで包囲して密閉化した状態の概略構成図である。
【図２】防炎シート，養生シートの張設状態を示す要部拡大概略構成図である。
【符号の説明】
【００１９】
１  廃棄物焼却施設
２  焼却炉
３  パイプ
４  煙突
５  コンクリート土間
６  防水堤（コンクリートブロック）
７  集水溝
８  防水膜
９  足場
１０  防炎シート
１１  天井パイプ
１２  養生シート
１３  セキュリティーゾーン
１４  集水用タンク
【図１】
2006167636.tif 000003
【図２】
2006167636.tif 000004